(57)【要約】【課題】複数の店舗における販売品の決済を適切に行う。【解決手段】それぞれが店舗に対応して設けられた複数の店舗端末、店舗の販売品の購入者が利用する購入者端末、及び販売品の決済サーバを備える購買システムであって、各店舗端末は、購入予定品を識別する情報及び当該購入予定品の価格を含む購入予定品販売情報を購入者端末へ送信する販売品情報送信部を有し、購入者端末は、複数の購入予定品のうち何れの販売品をより優先して購入するかを示す購入優先順位を購入予定品販売情報に設定する購入優先順位設定部と、購入予定品販売情報及び購入優先順位を決済サーバへ送信する購入予定送信部とを有し、決済サーバは、購入者の支払余力情報及び購入優先順位に基づき購入予定品のうち購入可能品の決済を行う決済部と、購入可能品を識別する情報を購入可能品の代金決済結果と共に店舗端末に通知する決済結果通知部とを有することを特徴とする購買システム。【選択図】  図１
2004171238.tif 000002
【特許請求の範囲】
【請求項１】
それぞれが店舗に対応して設けられた複数の店舗端末と、前記店舗から商品又は役務を含む販売品を購入する購入者が利用する購入者端末と、前記販売品の購入代金の決済を行う決済サーバとを備える購買システムであって、
前記複数の店舗端末のそれぞれは、
前記購入者が購入を予定する前記販売品である購入予定品について、当該購入予定品を識別する情報及び当該購入予定品の価格の情報を含む購入予定品販売情報を、前記購入者端末へ送信する販売品情報送信部を有し、
前記購入者端末は、
前記購入者からの指示に基づき、前記複数の店舗端末における複数の前記購入予定品のうち、何れの前記販売品をより優先して購入するかを示す購入優先順位を、複数の前記購入予定品販売情報に対応付けて設定する購入優先順位設定部と、
前記購入予定品販売情報及び前記購入優先順位を、前記決済サーバへ送信する購入予定送信部と
を有し、
前記決済サーバは、
前記購入者の支払能力を示す支払余力情報及び前記購入優先順位に基づき、前記購入予定品のうち、前記購入者が購入可能な前記販売品である購入可能品を選択し、決済を行う決済部と、
前記購入可能品を識別する情報を、前記購入可能品の代金決済結果と共に当該購入可能品を販売する前記店舗の前記店舗端末に通知する決済結果通知部と
を有することを特徴とする購買システム。
【請求項２】
前記購入予定送信部は、前記複数の店舗から受信した前記購入予定品販売情報を、前記決済サーバへ送信し、
前記決済結果通知部は、前記複数の購入予定品のうち少なくとも一部の前記販売品を購入できないと判断した場合に、前記複数の購入予定品のうち少なくとも一部の前記販売品を購入できない旨を示す購入不能通知を前記購入者端末に通知し、
前記購入優先順位設定部は、前記購入不能通知を受け取った場合に、前記購入者からの指示に基づき、前記購入優先順位を複数の前記購入予定品販売情報に対応付けて設定することを特徴とする請求項１記載の購買システム。
【請求項３】
前記決済結果通知部は、前記購入可能品を識別する情報を、前記購入可能品の前記代金決済結果と共に、前記購入者端末を介して当該購入可能品を販売する前記店舗の前記店舗端末に通知することを特徴とする請求項１記載の購買システム。
【請求項４】
前記購入優先順位設定部は、前記複数の購入予定品を複数のグループに分類し、何れの前記グループに所属する購入予定品をより優先して購入するかを示す前記購入優先順位を、複数の前記購入予定品販売情報に対応付けて設定することを特徴とする請求項１記載の購買システム。
【請求項５】
前記決済結果通知部は、更に、前記購入予定品のうち前記購入可能品に該当しない販売品を識別する情報を、当該販売品を販売する前記店舗の前記店舗端末に通知することを特徴とする請求項１記載の購買システム。
【請求項６】
前記決済サーバは、
前記購入者が前記販売品を購入した総額に応じて前記購入者に与えられるポイントを記憶するポイント記憶部を更に有し、
前記決済部は、前記支払余力情報として、更に、前記購入者に与えられる前記ポイントに基づき、前記購入可能品を選択して決済を行うことを特徴とする請求項１記載の購買システム。
【請求項７】
前記購入者端末は、
前記購入者が購入の候補とする複数の前記販売品である購入候補品から、前記購入予定品を選択する選択条件を入力させる入力部を更に有し、
前記複数の店舗端末のそれぞれは、
前記前記選択条件に基づいて、前記購入候補品の中から前記購入予定品を選択する選択部を更に有することを特徴とする請求項１記載の購買システム。
【請求項８】
前記複数の店舗のうち一の前記店舗は、複数の前記販売品を複数の構成品として組み合わせて完成品を作成する役務を提供する完成品提供店舗であり、
前記完成品提供店舗に対応して設けられた前記店舗端末である完成品提供店舗端末は、
前記構成品を識別する情報及び前記完成品の納品先である前記購入者を識別する情報を記憶する構成条件記憶部と、
全ての前記構成品の決済が終了したと判断した場合に、前記完成品の作成を開始すべき旨の通知を、前記完成品提供店舗の管理者に出力する構成開始通知出力部と
を備えることを特徴とする請求項１記載の購買システム。
【請求項９】
前記購入者端末は、
前記複数の構成品を識別する情報それぞれを、当該構成品を販売する前記店舗である構成品提供店舗を識別する情報に対応付けて、前記完成品提供店舗端末に送信する構成条件送信部と、
複数の前記構成品提供店舗に対応付けられた複数の構成品提供店舗端末それぞれに、前記完成品提供店舗端末を識別する情報を送信する完成品提供端末識別情報送信部と
を更に有することを特徴とする請求項８記載の購買システム。
【請求項１０】
前記販売品情報送信部は、前記購入予定品販売情報と共に、前記購入予定品を販売する店舗の属性情報を前記購入者端末に送信することを特徴とする請求項１記載の購買システム。
【請求項１１】
前記販売品情報送信部は、前記店舗の前記属性情報として、前記店舗の所在地を示す地図情報を前記購入者端末に送信することを特徴とする請求項１０記載の購買システム。
【請求項１２】
それぞれが店舗に対応して設けられた複数の店舗端末と、前記店舗から商品又は役務を含む販売品を購入する購入者が利用する購入者端末との間の、前記販売品の購入代金の決済を行う決済サーバであって、
前記購入者の支払能力を示す支払余力情報と、前記購入者が購入を予定する前記販売品である複数の購入予定品のうち何れの前記販売品をより優先して購入するかを示す購入優先順位とに基づき、前記購入予定品のうち前記購入者が購入可能な前記販売品である購入可能品を選択し、決済を行う決済部と、
前記購入可能品を識別する情報を、前記購入可能品の代金決済結果と共に当該購入可能品を販売する前記店舗の前記店舗端末に通知する決済結果通知部と
を有することを特徴とする決済サーバ。
【請求項１３】
それぞれが店舗に対応して設けられた複数の店舗端末と、店舗において販売される商品又は役務を含む販売品の購入代金を決済する決済サーバとを用いて、前記販売品を購入する購入者により利用される購入者端末であって、
前記購入者からの指示に基づき、前記複数の店舗端末における複数の購入予定品のうち、何れの前記販売品をより優先して購入するかを示す購入優先順位を、当該複数の購入予定品を識別する情報及び当該複数の購入予定品の価格の情報を含む購入予定品販売情報に対応付けて設定する購入優先順位設定部と、
前記購入予定品販売情報及び前記購入優先順位を、前記決済サーバへ送信する購入予定送信部と
を備えることを特徴とする購入者端末。
【請求項１４】
それぞれが店舗に対応して設けられた複数の店舗端末と、前記店舗から商品又は役務を含む販売品を購入する購入者が利用する購入者端末との間の、前記販売品の購入代金の決済をコンピュータシステムにより行わせる決済サーバプログラムであって、
前記コンピュータシステムを
前記購入者の支払能力を示す支払余力情報と、前記購入者が購入を予定する前記販売品である複数の購入予定品のうち何れの前記販売品をより優先して購入するかを示す購入優先順位とに基づき、前記購入予定品のうち前記購入者が購入可能な前記販売品である購入可能品を選択し、決済を行う決済部と、
前記購入可能品を識別する情報を、前記購入可能品の代金決済結果と共に当該購入可能品を販売する前記店舗の前記店舗端末に通知する決済結果通知部と
して機能させることを特徴とする決済サーバプログラム。
【請求項１５】
それぞれが店舗に対応して設けられた複数の店舗端末と、店舗において販売される商品又は役務を含む販売品の購入代金を決済する決済サーバとを用いて、前記販売品を購入する購入者により利用される購入者端末としてコンピュータシステムを機能させる購入者端末プログラムであって、
前記コンピュータシステムを、
前記購入者からの指示に基づき、前記複数の店舗端末における複数の購入予定品のうち、何れの前記販売品をより優先して購入するかを示す購入優先順位を、当該複数の購入予定品を識別する情報及び当該複数の購入予定品の価格の情報を含む購入予定品販売情報に対応付けて設定する購入優先順位設定部と、
前記購入予定品販売情報及び前記購入優先順位を、前記決済サーバへ送信する購入予定送信部と
して機能させることを特徴とする購入者端末プログラム。
【請求項１６】
それぞれが店舗に対応して設けられた複数の店舗端末と、前記店舗から商品又は役務を含む販売品を購入する購入者が利用する購入者端末と、前記販売品の購入代金の決済を行う決済サーバとを制御する制御方法であって、
前記複数の店舗端末のそれぞれにより、
前記購入者が購入を予定する前記販売品である購入予定品について、当該購入予定品を識別する情報及び当該購入予定品の価格の情報を含む購入予定品販売情報を、前記購入者端末へ送信する段階と、
前記購入者端末により、前記購入者からの指示に基づき、前記複数の店舗端末における複数の前記購入予定品のうち、何れの前記販売品をより優先して購入するかを示す購入優先順位を、複数の前記購入予定品販売情報に対応付けて設定させる段階と、
前記購入者端末により、前記購入予定品販売情報及び前記購入優先順位を、前記決済サーバへ送信させる段階と、
前記決済サーバにより、前記購入者の支払能力を示す支払余力情報及び前記購入優先順位に基づき、前記購入予定品のうち、前記購入者が購入可能な前記販売品である購入可能品を選択させ、決済を行わせる段階と、
前記決済サーバにより、前記購入可能品を識別する情報を、前記購入可能品の代金決済結果と共に当該購入可能品を販売する前記店舗の前記店舗端末に通知させる段階と
を備えることを特徴とする制御方法。
【請求項１７】
購入者の所望する完成品の作成に要する構成品を販売する店舗に対応して設けられた構成品提供店舗端末と、前記完成品を作成する役務を提供する店舗に対応して設けられた完成品提供店舗端末と、前記購入者が利用する購入者端末と、前記構成品及び前記完成品の購入代金の決済を行う決済サーバとを備える購買システムであって、
前記構成品提供店舗端末は、
前記購入者が購入を予定する前記構成品である購入予定品について、当該購入予定品を識別する情報及び当該購入予定品の価格の情報を含む購入予定品販売情報を、前記購入者端末へ送信する販売品情報送信部を有し、
前記完成品提供店舗端末は、
前記構成品を識別する情報及び前記完成品の納品先である前記購入者を識別する情報を記憶する構成条件記憶部と、
全ての前記構成品の決済が終了したと判断した場合に、前記完成品の作成を開始すべき旨の通知を、前記完成品提供店舗の管理者に出力する構成開始通知出力部と
を有し、
前記購入者端末は、前記購入予定品販売情報を前記決済サーバへ送信する購入予定送信部を有し、
前記決済サーバは、
前記購入者の支払能力を示す支払余力情報及び前記購入優先順位に基づき、前記購入予定品のうち、前記購入者が購入可能な前記販売品である購入可能品を選択し、決済を行う決済部と、
前記購入可能品を識別する情報を、前記購入可能品の代金決済結果と共に当該購入可能品を販売する前記店舗の前記店舗端末に通知する決済結果通知部と
を有することを特徴とする購買システム。
【発明の詳細な説明】
【０００１】
【発明の属する技術分野】
本発明は、購買システム、決済サーバ、購入者端末、決済サーバプログラム、購入者端末プログラム、及び制御方法に関する。特に本発明は、複数の店舗から購入した販売品の決済を行う購買システム、決済サーバ、購入者端末、決済サーバプログラム、購入者端末プログラム、及び制御方法に関する。
【０００２】
【従来の技術】
従来、携帯通信端末を用いて販売者等に購入予約を行った販売品の代金を、決済サーバを用いて決済する通信システムが提案されている（非特許文献１参照。）。
【０００３】
【非特許文献１】
国際公開第０１／４８６４８号パンフレット
【０００４】
【発明が解決しようとする課題】
しかしながら、上記システムによると、購入者は、複数の販売者のそれぞれに予約した複数の販売品のうち少なくとも一部を決済できない場合に、決済可能な販売品のみを決済させるために煩雑な処理を必要とする。例えば、購入者は、各販売者に対して、再予約又は予約取消し等の処理を行う必要がある。
そこで本発明は、上記の課題を解決することのできる購買システム、決済サーバ、購入者端末、決済サーバプログラム、購入者端末プログラム、及び制御方法を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、それぞれが店舗に対応して設けられた複数の店舗端末と、店舗から商品又は役務を含む販売品を購入する購入者が利用する購入者端末と、販売品の購入代金の決済を行う決済サーバとを備える購買システムであって、複数の店舗端末のそれぞれは、購入者が購入を予定する販売品である購入予定品について、当該購入予定品を識別する情報及び当該購入予定品の価格の情報を含む購入予定品販売情報を、購入者端末へ送信する販売品情報送信部を有し、購入者端末は、購入者からの指示に基づき、複数の店舗端末における複数の購入予定品のうち、何れの販売品をより優先して購入するかを示す購入優先順位を、複数の購入予定品販売情報に対応付けて設定する購入優先順位設定部と、購入予定品販売情報及び購入優先順位を、決済サーバへ送信する購入予定送信部とを有し、決済サーバは、購入者の支払能力を示す支払余力情報及び購入優先順位に基づき、購入予定品のうち、購入者が購入可能な販売品である購入可能品を選択し、決済を行う決済部と、購入可能品を識別する情報を、購入可能品の代金決済結果と共に当該購入可能品を販売する店舗の店舗端末に通知する決済結果通知部とを有することを特徴とする購買システムを提供する。
【０００６】
また、購入予定送信部は、複数の店舗から受信した購入予定品販売情報を、決済サーバへ送信し、決済結果通知部は、複数の購入予定品のうち少なくとも一部の販売品を購入できないと判断した場合に、複数の購入予定品のうち少なくとも一部の販売品を購入できない旨を示す購入不能通知を購入者端末に通知し、購入優先順位設定部は、購入不能通知を受け取った場合に、購入者からの指示に基づき、購入優先順位を複数の購入予定品販売情報に対応付けて設定してもよい。
また、決済結果通知部は、購入可能品を識別する情報を、購入可能品の代金決済結果と共に、購入者端末を介して当該購入可能品を販売する店舗の店舗端末に通知してもよい。
【０００７】
また、購入優先順位設定部は、複数の購入予定品を複数のグループに分類し、何れのグループに所属する購入予定品をより優先して購入するかを示す購入優先順位を、複数の購入予定品販売情報に対応付けて設定してもよい。
また、決済結果通知部は、更に、購入予定品のうち購入可能品に該当しない販売品を識別する情報を、当該販売品を販売する店舗の店舗端末に通知してもよい。
また、決済サーバは、購入者が販売品を購入した総額に応じて購入者に与えられるポイントを記憶するポイント記憶部を更に有し、決済部は、支払余力情報として、更に、購入者に与えられるポイントに基づき、購入可能品を選択して決済を行ってもよい。
購入者端末は、購入者が購入の候補とする複数の販売品である購入候補品から、購入予定品を選択する選択条件を入力させる入力部を更に有し、複数の店舗端末のそれぞれは、選択条件に基づいて、購入候補品の中から購入予定品を選択する選択部を更に有してもよい。
また、複数の店舗のうち一の店舗は、複数の販売品を複数の構成品として組み合わせて完成品を作成する役務を提供する完成品提供店舗であり、完成品提供店舗に対応して設けられた店舗端末である完成品提供店舗端末は、構成品を識別する情報及び完成品の納品先である購入者を識別する情報を記憶する構成条件記憶部と、全ての構成品の決済が終了したと判断した場合に、完成品の作成を開始すべき旨の通知を、完成品提供店舗の管理者に出力する構成開始通知出力部とを備えてもよい。
【０００８】
また、購入者端末は、複数の構成品を識別する情報それぞれを、当該構成品を販売する店舗である構成品提供店舗を識別する情報に対応付けて、完成品提供店舗端末に送信する構成条件送信部と、複数の構成品提供店舗に対応付けられた複数の構成品提供店舗端末それぞれに、完成品提供店舗端末を識別する情報を送信する完成品提供端末識別情報送信部とを更に有してもよい。
また、販売品情報送信部は、購入予定品販売情報と共に、購入予定品を販売する店舗の属性情報を購入者端末に送信してもよい。
また、販売品情報送信部は、店舗の属性情報として、店舗の所在地を示す地図情報を購入者端末に送信してもよい。
本発明の第２の形態によると、それぞれが店舗に対応して設けられた複数の店舗端末と、店舗から商品又は役務を含む販売品を購入する購入者が利用する購入者端末との間の、販売品の購入代金の決済を行う決済サーバであって、購入者の支払能力を示す支払余力情報と、購入者が購入を予定する販売品である複数の購入予定品のうち何れの販売品をより優先して購入するかを示す購入優先順位とに基づき、購入予定品のうち購入者が購入可能な販売品である購入可能品を選択し、決済を行う決済部と、購入可能品を識別する情報を、購入可能品の代金決済結果と共に当該購入可能品を販売する店舗の店舗端末に通知する決済結果通知部とを有することを特徴とする決済サーバを提供する。
【０００９】
本発明の第３の形態によると、それぞれが店舗に対応して設けられた複数の店舗端末と、店舗において販売される商品又は役務を含む販売品の購入代金を決済する決済サーバとを用いて、販売品を購入する購入者により利用される購入者端末であって、購入者からの指示に基づき、複数の店舗端末における複数の購入予定品のうち、何れの販売品をより優先して購入するかを示す購入優先順位を、当該複数の購入予定品を識別する情報及び当該複数の購入予定品の価格の情報を含む購入予定品販売情報に対応付けて設定する購入優先順位設定部と、購入予定品販売情報及び購入優先順位を、決済サーバへ送信する購入予定送信部とを備えることを特徴とする購入者端末を提供する。
本発明の第４の形態によると、それぞれが店舗に対応して設けられた複数の店舗端末と、店舗から商品又は役務を含む販売品を購入する購入者が利用する購入者端末との間の、販売品の購入代金の決済をコンピュータシステムにより行わせる決済サーバプログラムであって、コンピュータシステムを購入者の支払能力を示す支払余力情報と、購入者が購入を予定する販売品である複数の購入予定品のうち何れの販売品をより優先して購入するかを示す購入優先順位とに基づき、購入予定品のうち購入者が購入可能な販売品である購入可能品を選択し、決済を行う決済部と、購入可能品を識別する情報を、購入可能品の代金決済結果と共に当該購入可能品を販売する店舗の店舗端末に通知する決済結果通知部として機能させることを特徴とする決済サーバプログラムを提供する。
【００１０】
本発明の第５の形態によると、それぞれが店舗に対応して設けられた複数の店舗端末と、店舗において販売される商品又は役務を含む販売品の購入代金を決済する決済サーバとを用いて、販売品を購入する購入者により利用される購入者端末としてコンピュータシステムを機能させる購入者端末プログラムであって、コンピュータシステムを、購入者からの指示に基づき、複数の店舗端末における複数の購入予定品のうち、何れの販売品をより優先して購入するかを示す購入優先順位を、当該複数の購入予定品を識別する情報及び当該複数の購入予定品の価格の情報を含む購入予定品販売情報に対応付けて設定する購入優先順位設定部と、購入予定品販売情報及び購入優先順位を、決済サーバへ送信する購入予定送信部として機能させることを特徴とする購入者端末プログラムを提供する。
本発明の第６の形態によると、それぞれが店舗に対応して設けられた複数の店舗端末と、店舗から商品又は役務を含む販売品を購入する購入者が利用する購入者端末と、販売品の購入代金の決済を行う決済サーバとを制御する制御方法であって、複数の店舗端末のそれぞれにより、購入者が購入を予定する販売品である購入予定品について、当該購入予定品を識別する情報及び当該購入予定品の価格の情報を含む購入予定品販売情報を、購入者端末へ送信する段階と、購入者端末により、購入者からの指示に基づき、複数の店舗端末における複数の購入予定品のうち、何れの販売品をより優先して購入するかを示す購入優先順位を、複数の購入予定品販売情報に対応付けて設定させる段階と、購入者端末により、購入予定品販売情報及び購入優先順位を、決済サーバへ送信させる段階と、決済サーバにより、購入者の支払能力を示す支払余力情報及び購入優先順位に基づき、購入予定品のうち、購入者が購入可能な販売品である購入可能品を選択させ、決済を行わせる段階と、決済サーバにより、購入可能品を識別する情報を、購入可能品の代金決済結果と共に当該購入可能品を販売する店舗の店舗端末に通知させる段階とを備えることを特徴とする制御方法を提供する。
【００１１】
本発明の第７の形態によると、購入者の所望する完成品の作成に要する構成品を販売する店舗に対応して設けられた構成品提供店舗端末と、完成品を作成する役務を提供する店舗に対応して設けられた完成品提供店舗端末と、購入者が利用する購入者端末と、構成品及び完成品の購入代金の決済を行う決済サーバとを備える購買システムであって、構成品提供店舗端末は、購入者が購入を予定する構成品である購入予定品について、当該購入予定品を識別する情報及び当該購入予定品の価格の情報を含む購入予定品販売情報を、購入者端末へ送信する販売品情報送信部を有し、完成品提供店舗端末は、構成品を識別する情報及び完成品の納品先である購入者を識別する情報を記憶する構成条件記憶部と、全ての構成品の決済が終了したと判断した場合に、完成品の作成を開始すべき旨の通知を、完成品提供店舗の管理者に出力する構成開始通知出力部とを有し、購入者端末は、購入予定品販売情報を決済サーバへ送信する購入予定送信部を有し、決済サーバは、購入者の支払能力を示す支払余力情報及び購入優先順位に基づき、購入予定品のうち、購入者が購入可能な販売品である購入可能品を選択し、決済を行う決済部と、購入可能品を識別する情報を、購入可能品の代金決済結果と共に当該購入可能品を販売する店舗の店舗端末に通知する決済結果通知部とを有することを特徴とする購買システムを提供する。
なお上記の発明の概要は、本発明の必要な特徴の全てを列挙したものではなく、これらの特徴群のサブコンビネーションも又発明となりうる。
【００１２】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
図１は、購買システム１０の機能ブロック図である。購買システム１０は、商品又は役務を含む販売品を販売する店舗に対応して設けられた構成品提供店舗端末１００−１〜Ｎ（ＳＤ：Ｓｅｒｖｉｃｅ  Ｄｅｖｉｃｅ）と、販売品を購入する購入者が利用する購入者端末２００（ＰＤ：Ｐｅｒｓｏｎａｌ  Ｄｅｖｉｃｅ）と、販売品の購入代金の決済を行う決済サーバ３００と、構成品提供店舗端末１００−１〜Ｎから提供される複数の販売品を組み合わせて完成品を作成する役務を提供する完成品提供店舗端末４００（ＳＤの一種）とを備える。
構成品提供店舗端末１００−１〜Ｎのそれぞれは、例えば、店舗の店頭に設けられ、レジスター又はＰＯＳシステムに接続され、購入者端末２００と赤外線通信を行う。購入者端末２００は、例えば、購入者により携帯可能な携帯端末であり、携帯電話であってもよいし、ＰＤＡであってもよい。決済サーバ３００は、購入者端末２００と移動体通信網等の公衆電話回線（ＰＳＴＮ）を介してＴＣＰ／ＩＰのパケット通信を行う。他の例として、決済サーバ３００は、Ｄｏｐａ、光通信、銅線通信（ＡＤＳＬ、ダイヤルアップ接続）、無線ＬＡＮにより、購入者端末２００と通信を行ってもよい。
【００１３】
構成品提供店舗端末１００−１〜Ｎのそれぞれは、購入者からの指示に応じて、購入者が購入を予定する販売品である購入予定品を複数選択し、当該購入予定品の価格等の購入予定品販売情報を購入者端末２００に送る。購入者端末２００は、購入者からの指示に基づき、これらの購入予定品のうち、何れの販売品をより優先して購入するかを示す購入優先順位を、購入予定品販売情報に対応付けて設定し、設定したこれらの情報を決済サーバ３００に送る。決済サーバ３００は、予め格納している購入者の支払能力を示す支払余力情報及び受け取った購入優先順位に基づき、購入予定品の少なくとも一部の決済を行う。購入者端末２００は、決済が終了した販売品を構成品として組み合わせて、完成品提供店舗端末４００を有する完成品提供店舗により完成品を作成させてもよい。
【００１４】
このように、購買システム１０は、構成品提供店舗端末１００−１及び決済サーバ３００間で直接通信を行うことなく、購入者及び販売者に販売品の決済を適切に行わせることができる。すなわち、購買システム１０は、決済に関する情報を、購入者端末２００を経由してやりとりさせるので、購入者の関知しない部分で行われる決済の不正を防止する等、購入者にとって信頼性の高い購買環境を提供することができる。また、購買システム１０は、複数の販売品に購入優先順位を設定することにより、全ての購入予定品が決済できない場合に、購入予定品の一部を選択して決済することができる。
【００１５】
構成品提供店舗端末１００−１は、販売品を識別する情報に販売品の価格等の情報を対応付けた販売情報を格納する販売品データベース１０５と、購入者が指示した選択条件に応じて購入予定品を選択する選択部１１０と、購入予定品の販売情報である購入予定品販売情報を購入者端末２００へ送信する販売品情報送信部１２０と、販売品が準備できたか否かの情報を提供する納品情報通知部１３０とを有する。構成品提供店舗端末１００−２〜Ｎは、構成品提供店舗端末１００−１と略同一の構成をとるので説明を省略する。
【００１６】
販売品データベース１０５は、販売品を識別する情報に販売品の価格等の情報を対応付けた販売情報を格納し、必要に応じて選択部１１０及び販売品データベース４０５に提供する。販売品データベース１０５は、例えば、販売情報として、販売品の納期、広告情報、及び売上の履歴等を更に格納してもよい。
【００１７】
選択部１１０は、入力部２１０から受け取った選択条件に基づき、販売品データベース１０５の中から購入者が購入の候補とする複数の販売品である購入候補品を特定する。そして、選択部１１０は、購入候補品の中から、購入者の所望する購入予定品を選択する。購入候補品は、購入者が所望する販売品と略同一の機能又は特性を有する販売品であり、例えば、購入者が所望する販売品と互換性を有する互換品である。選択条件は、これらの複数の互換品のうち、性能・価格・納期に基づき購入する販売品を選択するための条件である。
例えば、選択部１１０は、選択条件として、所定の製造者により製造された所定範囲の性能を有する販売品のうち、最も価格の安い販売品の購入を希望する旨の情報を受け取る。選択部１１０は、受け取ったこの情報に基づき、選択条件に合致する販売品を選択する。そして、選択部１１０は、購入予定品を識別する情報及び当該購入予定品の価格の情報を含む購入予定品販売情報を販売品情報送信部１２０に送る。
【００１８】
販売品情報送信部１２０は、選択部１１０から受け取った購入予定品販売情報を、構成品提供店舗端末１００−１を識別する情報に対応付けて購入予定送信部２２０に送る。
【００１９】
納品情報通知部１３０は、決済が適切に行われ購入可能である販売品を識別する情報及び当該販売品の販売店舗を識別する情報である購入可能品情報を、販売品の決済が終了した旨の決済完了通知に対応付けて決済結果転送部２３０から受け取った場合に、以下の処理を行う。まず、納品情報通知部１３０は、購入可能品の納品準備をすべき旨の通知を構成品提供店舗端末１００−１の管理者である販売者に通知する。そして、納品情報通知部１３０は、販売品の納品が完了した旨の入力を販売者から受け付けた場合に、完成品提供端末識別情報送信部２６０から受け取った完成品提供店舗端末の識別情報により識別される店舗、例えば、完成品提供店舗端末４００に、販売品の準備ができた旨の情報を送る。
また、納品情報通知部１３０は、購入予定品のうち購入可能品に該当しない販売品を識別する情報を、決済結果転送部２３０から受け取った場合に、この情報を販売者に通知する。
【００２０】
購入者端末２００は、購入予定品を選択する選択条件を入力させる入力部２１０と、購入予定品販売情報及び購入優先順位を決済サーバ３００へ送信する購入予定送信部２２０と、決済サーバ３００から受け取った決済結果を転送する決済結果転送部２３０と、購入予定品販売情報に購入優先順位を設定する購入優先順位設定部２４０と、完成品の作成に必要な情報を送信する構成条件送信部２５０と、完成品を構成する構成品の納品先を通知する完成品提供端末識別情報送信部２６０とを有する。
【００２１】
入力部２１０は、購入候補品から購入予定品を選択する選択条件を購入者に入力させ、構成品提供店舗端末１００−１に送る。なお、入力部２１０は、購入者に入力させた一の選択条件を、構成品提供店舗端末１００−２〜Ｎに更に送ってもよい。また、入力部２１０は、複数の選択条件を構成品提供店舗端末１００−１〜Ｎそれぞれに対応付けて購入者に入力させ、これらの選択条件のそれぞれを構成品提供店舗端末１００−１〜Ｎに送ってもよい。
【００２２】
購入予定送信部２２０は、購入予定品販売情報を、構成品提供店舗端末１００−１〜Ｎ及び完成品提供店舗端末４００を識別する情報に対応付けて、それぞれ販売品情報送信部１２０、構成品提供店舗端末１００−２〜Ｎ、及び選択部４１０から受け取った場合に、これらの情報を決済部３１０に送る。更に、購入予定送信部２２０は、購入予定品販売情報を購入優先順位設定部２４０に送る。購入予定送信部２２０は、購入優先順位を購入予定品販売情報に対応付けて購入優先順位設定部２４０から受け取った場合に、当該順位及び情報を決済部３１０に送る。
また、購入予定送信部２２０は、決済完了通知を、購入可能品情報に対応付けて決済結果転送部２３０から受け取った場合に、まず、購入可能品情報のうち、完成品の作成に必要な構成品に関する情報を選択し、構成条件送信部２５０に送る。そして、購入予定送信部２２０は、購入可能品を構成品として完成品を作成する完成品提供店舗端末（例えば、完成品提供店舗端末４００）を識別する情報を完成品提供端末識別情報送信部２６０に送る。
【００２３】
決済結果転送部２３０は、購入優先順位が設定されていない複数の購入予定品のうち少なくとも一部を購入できない旨を示す購入不能通知を、決済結果通知部３３０から受け取った場合に、購入優先順位を設定する旨の指示を購入優先順位設定部２４０に送る。また、決済結果転送部２３０は、決済完了通知を購入可能品情報に対応付けて決済結果通知部３３０から受け取り、購入予定送信部２２０、納品情報通知部１３０、構成開始通知出力部４３０、及び構成品提供店舗端末１００−２〜Ｎに送る。更に、決済結果転送部２３０は、購入予定品のうち購入可能品に該当しない販売品を識別する情報を決済結果通知部３３０から受け取り、納品情報通知部１３０に送る。
【００２４】
購入優先順位設定部２４０は、購入予定品販売情報を購入予定送信部２２０から受け取る。そして、購入優先順位設定部２４０は、購入優先順位を設定する旨の指示を決済結果転送部２３０から受け取った場合に、購入者に購入優先順位の入力を促す処理を行う。例えば、購入優先順位設定部２４０は、購入予定品販売情報を、購入優先順位を入力すべき旨のメッセージと伴に表示する。そして、購入優先順位設定部２４０は、購入者から購入優先順位の入力を受け付けた場合に、当該購入優先順位を購入予定品販売情報に対応付けて購入予定送信部２２０に送る。
【００２５】
構成条件送信部２５０は、購入可能品情報を購入予定送信部２２０から受け取り、完成品の納品先である購入者端末２００を識別する情報に対応付けて構成条件記憶部４２５に送る。すなわち、構成条件送信部２５０は、これらの購入可能品を構成品として組み合わせて完成品を作成する完成品提供店舗端末４００に、構成品を識別する情報、構成品を提供する店舗である構成品提供店舗を識別する情報、及び完成品の納品先である購入者の端末を識別する情報を送ることができる。
【００２６】
完成品提供端末識別情報送信部２６０は、購入可能品を構成品として完成品を作成する完成品提供店舗端末（例えば、完成品提供店舗端末４００）を識別する情報を購入予定送信部２２０から受け取り、納品情報通知部１３０及び構成品提供店舗端末１００−２〜Ｎに送る。
【００２７】
決済サーバ３００は、購入者の支払能力を示す支払余力情報を格納する与信データベース３０５と、購入者の支払余力情報の範囲内で購入可能な販売品である購入可能品を購入予定品の中から選択して決済する決済部３１０と、販売品を購入した総額に応じて購入者に与えられるポイントを記憶するポイント記憶部３１５と、購入可能品の代金決済結果を通知する決済結果通知部３３０とを有する。
【００２８】
与信データベース３０５は、購入者の支払能力を示す支払余力情報を格納する。
【００２９】
ポイント記憶部３１５は、販売品を購入した総額に応じて購入者に与えられるポイントを記憶する。例えば、ポイント記憶部３１５は、購入者に対応付けて、購入者が過去に購入した販売品の総額のうち所定の割合（例えば、２％）を、ポイントとして記憶してもよい。
【００３０】
決済部３１０は、購入優先順位を購入予定品販売情報に対応付けて購入予定送信部２２０から受け取った場合に、与信データベース３０５から取得した支払余力情報の示す金額の範囲内で購入可能な購入予定品を、購入優先順位の高い順に選択して決済する。そして、決済部３１０は、購入可能品情報を生成し、決済完了通知に対応付けて決済結果通知部３３０に送る。さらに、決済部３１０は、購入予定品のうち購入可能品に該当しない販売品を識別する情報を、決済結果通知部３３０に送る。
一方、決済部３１０は、購入優先順位の設定されていない購入予定品販売情報を購入予定送信部２２０から受け取った場合に、与信データベース３０５から取得した支払余力情報の示す金額の範囲内で、全ての購入予定品が決済可能か否かを判断する。決済部３１０は、全ての購入予定品が決済可能と判断した場合に、全ての購入予定品を決済し、購入可能品情報を生成し、購入可能品情報を決済完了通知に対応付けて決済結果通知部３３０に送る。一方、決済部３１０は、複数の購入予定品のうち少なくとも一部の販売品を購入できないと判断した場合に、購入不能通知を決済結果通知部３３０に送る。
決済部３１０は、決済を行った場合に、与信データベース３０５が格納する購入者の支払余力情報が示す金額を、決済された販売品相当額減じる。更に、決済結果通知部３３０は、決済された販売品の価格のうち所定の割合を、購入者へのポイントとして、ポイント記憶部３１５に記憶する。決済結果通知部３３０は、支払余力情報として、更に、ポイント記憶部３１５に記憶されたこのポイントに基づき、購入可能品を選択して決済してもよい。
【００３１】
決済結果通知部３３０は、決済完了通知に対応付けられた購入可能品情報を決済部３１０から受け取った場合に、当該通知及び情報を決済結果転送部２３０に通知する。また、決済結果通知部３３０は、購入不能通知を決済部３１０から受け取った場合に、当該購入不能通知を決済結果転送部２３０に通知する。
また、決済結果通知部３３０は、購入予定品のうち購入可能品に該当しない販売品を識別する情報を決済部３１０から受け取り、決済結果転送部２３０に通知する。
このように、決済結果通知部３３０は、代金決済結果に対応づけられた購入可能品情報と、購入予定品のうち購入可能品に該当しない販売品を識別する情報とを購入者端末２００を介して店舗端末に通知することができる。
なお、決済サーバ３００は、代金決済の安全性を高めるために、購入者端末２００に対応付けられたデジタル署名を、購入予定品販売情報等と伴に受信してもよい。この場合、決済サーバ３００は、デジタル署名の正当性を、証明装置（例えば、ＴＤＳＳ：Ｔｒｕｓｔ  Ｄｏｍａｉｎ  Ｓｅｒｖｉｃｅ  Ｓｅｒｖｅｒ）を用いて検証する。決済サーバ３００は、当該決済サーバ３００の内部にＴＤＳＳを有していてもよいし、当該決済サーバ３００の外部、例えば購入者端末２００及び当該決済サーバ３００の通信経路上に設けられたＴＤＳＳを用いてもよい。
【００３２】
完成品提供店舗端末４００は、販売品データベース４０５と、選択部４１０と、販売品情報送信部４２０と、構成品を識別する情報及び完成品の納品先である購入者を識別する情報を記憶する構成条件記憶部４２５と、完成品の作成を開始すべき旨の通知を完成品提供店舗端末４００の管理者に出力する構成開始通知出力部４３０とを有する。
販売品データベース４０５は、構成品を組み合わせることにより完成品を作成する役務についての販売情報を格納し、必要に応じて販売品情報送信部４２０に提供する。更に、販売品データベース４０５は、この役務に用いることができる構成品の候補を、構成品提供店舗端末１００−１〜Ｎのそれぞれが有する販売品データベース１０５から更に取得して格納してもよい。
【００３３】
選択部４１０は、入力部２１０から受け取った選択条件に基づき、販売品データベース４０５の中から購入者が購入の候補とする複数の役務である購入候補品を特定する。そして、選択部４１０は、購入候補品の中から、購入者の所望する購入予定品を選択する。そして、選択部４１０は、購入予定品を識別する情報及び当該購入予定品の価格の情報を含む購入予定品販売情報を販売品情報送信部４２０に送る。
更に、選択部４１０は、入力部２１０から受け取った選択条件に基づき、完成品を作成する役務で必要となる構成品を購入候補品として販売品データベース４０５から選択してもよい。
【００３４】
販売品情報送信部４２０は、選択部４１０から受け取った購入予定品販売情報を、完成品提供店舗端末４００を識別する情報に対応付けて購入予定送信部２２０に送る。また、販売品情報送信部４２０は、購入予定品販売情報が示す役務により完成される完成品を識別する情報を構成条件記憶部４２５に送る。
【００３５】
構成条件記憶部４２５は、完成品の作成に必要な構成品を識別する情報、構成品提供店舗を識別する情報、及び購入者端末２００を識別する情報を構成条件送信部２５０から受け取る。また、構成条件記憶部４２５は、完成品を識別する情報を販売品情報送信部４２０から受け取り、構成条件送信部２５０から受け取った情報に対応付けて記憶し、必要に応じて構成開始通知出力部４３０に送る。
【００３６】
構成開始通知出力部４３０は、決済完了通知及び購入可能品情報を決済結果転送部２３０から受け取り、構成品を識別する情報、構成品提供店舗を識別する情報、及び購入者端末２００を識別する情報を構成条件記憶部４２５から受け取る。そして、構成開始通知出力部４３０は、決済完了通知、購入可能品情報、及び構成品を識別する情報に基づき、完成品の作成開始に必要な全ての構成品の決済が終了したと判断し、かつ、販売品の準備ができた旨の情報を構成品提供店舗端末１００−１〜Ｎから受け取った場合に、完成品の作成を開始すべき旨の通知を完成品提供店舗端末４００の管理者に出力する。
なお、他の例として、構成開始通知出力部４３０は、構成品提供店舗端末から販売品の準備ができる予定期日の情報を受け取り、当該予定期日を完成品の作成を開始すべき日時として管理者に出力してもよい。
【００３７】
このように、購買システム１０は、購入者の所望する条件に合致する販売品を適切に選択させ、安全に決済することができる。例えば、購買システム１０は、決済に必要な情報の授受において、構成品提供店舗端末１００−１〜Ｎ及び決済サーバ３００間での通信を必要としないので、購入者端末２００にとって安全な決済環境を提供することができる。
【００３８】
以上に代えて、購買システム１０は、販売品データベース４０５、選択部１１０、入力部２１０を備えない構成をとってもよい。この場合、店舗の販売員は、購入品の価格等を入力し、販売品情報送信部１２０を介して購入者端末２００へ送信する。これを受けて、購入者端末２００は、購入品に対して購入優先順位を設定し、以降、既に説明した動作と同様に、販売品の決済を行う。
この形態に拠れば、各店舗端末は、販売品データベース４０５等の記憶領域を備える必要がないため、例えば従来用いられているレジスター等の簡易な端末において本システムを実現することができる。
【００３９】
図２は、販売品データベースの一例を示す。図２（Ａ）に示すように、販売品データベース１０５は、販売品を識別する販売品識別情報に対応付けて、それぞれが販売情報の一例である販売品の納期を示す情報、販売品の価格を示す情報、及び販売品の広告情報を格納している。例えば、構成品提供店舗端末１００−１に対応付けられた店舗が、販売品の一例として、パーソナルコンピュータの部品を販売する場合に、販売品データベース１０５は、ＣＰＵ、ハードディスク、及びマザーボード等の部品を識別する情報を、当該部品の販売情報に対応付けて格納している。本図の情報を用いる例を以下で述べる。
【００４０】
選択部１１０は、選択条件としてマザーボードの購入する旨の条件を受け取った場合に、販売品データベース１０５の中からマザーボード−Ｃ１及びマザーボード−Ｃ２を購入候補品として選択する。そして、選択部１１０は、選択条件として、例えば、マザーボードの中で最も安いものを購入する旨の情報を受け取った場合に、マザーボード−Ｃ２を購入予定品として選択する。
また、他の例として、選択部１１０は、本図に示す販売情報を構成品提供店舗端末１００−１の外部に表示することにより、購入者からの選択条件の入力を受け付けてもよい。この場合、購入者端末２００は、入力部２１０を有さなくてもよい。
【００４１】
また、他の例として、選択部１１０は、販売品データベース１０５に格納される全ての販売情報を予め購入者端末２００に送信しておき、当該販売情報を参照した購入者から購入者端末２００を介して選択条件を受け付けてもよい。
このように、販売品データベース１０５が、販売品識別情報に対応付けて価格等の販売情報を格納しているので、選択部１１０は、選択条件に応じて適切に販売品を選択することができる。
なお、選択部１１０は、購入者から購入予定品を示す情報の入力を受け付けてもよい。この場合、選択部１１０は、選択条件を受信しなくてもよいし、受信した選択条件に関わらず、購入者から入力を受けた購入予定品を販売品データベース１０５から選択してもよい。
【００４２】
図２（Ｂ）に示すように、販売品データベース４０５は、役務を識別する販売品識別情報に対応付けて、それぞれが販売情報の一例である役務に要する所要期間、販売品の価格を示す情報、及び販売品の広告情報を格納している。例えば、販売品データベース４０５は、パーソナルコンピュータの部品を組み立ててパーソナルコンピュータを作成する役務を識別する情報を格納する。
このように、完成品提供店舗端末４００は、構成品提供店舗端末１００−１から提供される部品を構成品として完成品であるパーソナルコンピュータを作成する役務を提供する。
【００４３】
本図のように、例えば、販売品データベース１０５は、構成品として、パーソナルコンピュータ等の装置の部品を識別する情報を格納し、販売品データベース４０５は、当該装置を組み立てる役務を識別する情報を格納する。
また、構成品の他の例として、販売品データベース１０５は、完成品の一例である料理の作成に必要な食材及び調味料を識別する情報を格納してもよい。この場合、販売品データベース４０５は、これらの食材及び調味料を組み合わせて料理を作成する役務を識別する情報を格納する。
構成品のその他の例として、販売品データベース１０５は、完成品の一例であるパーティーの作成（例えば、準備）に必要な会場賃借、料理、及び酒類を識別する情報を格納してもよい。この場合、販売品データベース４０５は、これらの会場賃借、料理、及び酒類を組み合わせてパーティーを行う役務を識別する情報を格納する。
即ち、構成品提供店舗端末１００−１〜Ｎのそれぞれは、商品又はサービス等の販売品の組合せを提供し、完成品提供店舗端末４００は、これらの販売品に付加価値を与える処理、例えば、販売品を組み合わせて加工する処理を行う。
【００４４】
図２（Ｃ）に示すように、販売品データベース４０５は、更に、完成品提供店舗端末４００に対応付けられた店舗を識別する情報に、当該店舗の属性情報としての、当該店舗の所在地の情報、当該店舗の連絡先、及び当該店舗の地図情報を対応付けて格納してもよい。この場合、販売品情報送信部１２０は、購入予定品販売情報と共に、購入予定品を販売する店舗の属性情報を購入者端末２００に送信する。従って、購入者は、販売品、例えば、パーソナルコンピュータを受け取る店舗の所在地を適切に知ることができる。
【００４５】
図３は、与信データベース３０５の一例を示す。与信データベース３０５は、購入者を識別する購入者識別情報に対応付けて、購入者の支払能力を示す支払余力情報の一例である与信残高及び当該与信残高が購入者に与信された日を示す登録日を格納する。例えば、与信データベース３０５は、与信残高として、購入者により予め支払われた金額であるプリペイド情報を格納する。この場合、決済部３１０は、プリペイド情報が示す金額の範囲内で販売品を決済することができる。
【００４６】
他の例として、与信データベース３０５は、与信残高として、購入者の将来における支払能力の見積もりを示すクレジット情報を格納してもよい。この場合、決済部３１０は、クレジット情報が示す金額を減じつつ販売品を決済し、購入者による代金支払により当該クレジット情報を回復させてもよい。その他、与信データベース３０５は、ネットワーク型電子マネーを格納してもよいし、ＩＣカード型電子マネーに関する情報を格納してもよい。
【００４７】
このように、与信データベース３０５が支払余力情報を購入者識別情報に対応付けて格納しているので、決済部３１０は、購入者毎に決済の可否を適切に判断することができる。なお、決済部３１０は、決済の可否の判断に更に登録日を用いてもよい。例えば、決済部３１０は、登録日から所定以上の期間経過した購入者については、与信に対して所定金額以内の不足については許容して決済を行ってもよい。
【００４８】
図４は、ポイント記憶部３１５の一例を示す。ポイント記憶部３１５は、販売品を購入した総額に応じて購入者に与えられるポイントの残高を示すポイント残高を、購入者識別情報及びポイントの有効期限に対応付けて記憶する。例えば、ポイント記憶部３１５は、購入者に対応付けて、購入者が過去に購入した販売品の総額のうち所定の割合（例えば、２％）を、有効期限の設けられたポイントとして記憶する。このポイント残高は、販売品の新たな購入に充当でき、有効期限の到達により消滅する。例えば、決済部３１０は、与信残高に不足が生じた場合であっても、当該不足が有効期限内のポイント残高の範囲内である場合においては、決済を行ってもよい。また、ポイント記憶部３１５は、有効期限に達したと判断した場合に、ポイント残高の少なくとも一部を減じる処理を行ってもよい。
【００４９】
このように、ポイント記憶部３１５がポイント残高を購入者識別情報に対応付けて格納しているので、決済部３１０は、ポイントを用いた決済を購入者毎に適切に行うことができる。
【００５０】
図５は、構成条件記憶部４２５の一例を示す。構成条件記憶部４２５は、完成品の作成に必要な構成品を識別する情報、構成品提供店舗を識別する情報、及び購入者端末２００を識別する情報を、完成品を識別する情報に対応付けて記憶している。
【００５１】
例えば、構成条件記憶部４２５は、完成品を識別する情報として、デスクトップ型ＰＣ−１を記憶し、当該完成品の納品先として購入者端末２００の管理者である購入者Ａを記憶する。そして、構成条件記憶部４２５は、デスクトップ型ＰＣ−１に対応付けて、デスクトップ型ＰＣ−１を作成するのに必要な構成品を識別する情報であるＣＰＵ−Ａ、ハードディスク−Ｂ、マザーボード−Ｃ、及び電源ユニット−Ｄを記憶する。構成条件記憶部４２５は、これらの構成品識別情報に対応付けて構成品提供店舗を識別する情報として、各構成品を提供する店舗Ａ及び店舗Ｂを格納する。
【００５２】
このように、構成条件記憶部４２５が、完成品の作成に必要な構成品の提供店舗の情報を記憶しているので、構成開始通知出力部４３０は、これらの提供店舗に構成品の納品が完了したか否かを問合せることができる。すなわち、構成開始通知出力部４３０は、構成品の納品が完了した適切なタイミングで、完成品の作成を開始すべき旨の通知を完成品提供店舗端末４００の管理者に出力することができる。
【００５３】
図６は、購買システム１０の動作フローを示す。入力部２１０は、購入候補品から購入予定品を選択する選択条件を購入者に入力させ、構成品提供店舗端末１００−１に送る（Ｓ２００）。そして、選択部１１０は、選択条件に基づき購入候補品を特定し、当該購入候補品の中から購入予定品を選択する（Ｓ１００）。販売品情報送信部１２０は、購入予定品の販売品情報を購入者端末２００に送信する（Ｓ１１０）。
購買システム１０は、構成品提供店舗端末１００−１に代えて、更に構成品提供店舗端末１００−２〜Ｎ及び完成品提供店舗端末４００のそれぞれを用いて以上の処理を行う。すなわち、購入者端末２００は、複数の店舗端末のそれぞれから購入予定品販売情報を受け取る。
【００５４】
そして、購入予定送信部２２０は、購入予定品の販売情報を、購入者の端末である購入者端末２００を識別する情報に対応付けて販売品情報６００として決済サーバ３００に送る（Ｓ２１０）。これを受けて、決済部３１０は、決済を行う（Ｓ３００Ａ）。詳細については図８で説明する。
【００５５】
決済結果通知部３３０は、決済完了通知又は購入不能通知である決済結果を購入者端末２００に送る（Ｓ３１０）。決済結果転送部２３０は、決済完了通知を決済結果通知部３３０から受け取った場合、即ち決済が完了したと判断した場合に（Ｓ２２０：ＹＥＳ）、Ｓ２５０の処理に移る。
【００５６】
一方、決済結果転送部２３０が、購入不能通知を決済結果通知部３３０から受け取った場合、即ち決済が完了していないと判断した場合に（Ｓ２２０：ＮＯ）、購入優先順位設定部２４０は、購入者から購入優先順位の入力を受け付け、当該購入優先順位を購入予定品販売情報に設定する。そして、購入予定送信部２２０は、購入優先順位を購入予定品販売情報に対応付けた販売品情報６１０を決済サーバ３００に送る（Ｓ２３０）。
【００５７】
決済サーバ３００は、決済部３１０による決済が完了したと判断した場合に（Ｓ３２０：ＹＥＳ）、処理を終了する。一方、決済サーバ３００が、決済部３１０による決済が完了していないと判断した場合に（Ｓ３２０：ＮＯ）、決済部３１０は、販売品情報６１０を購入者端末２００から受信する（Ｓ３３０）。そして、決済部３１０は、購入優先順位に基づいて販売品の決済を行う（Ｓ３００Ｂ）。詳細については図８で述べる。続いて、決済結果通知部３３０は、決済結果を購入者端末２００に通知する（Ｓ３４０）。
【００５８】
決済結果転送部２３０は、決済結果を決済結果通知部３３０から受け取り、構成品提供店舗端末１００−１に送る（Ｓ２５０）。決済結果転送部２３０は、決済結果を購入者端末２００から受け取り（Ｓ１２０）、販売品の納品準備を開始すべき旨の通知を出力する（Ｓ１３０）。
【００５９】
このように、購買システム１０は、購入者からの入力に基づき、所望の販売品全てについての決済を試みる。そして、購買システム１０は、少なくとも一部の販売品を決済できないと判断した場合においては、購入優先順位を設定するので、所望の販売品のうち購入優先順位が高いものを決済することができる。
【００６０】
図７は、購買システム１０における図６に続く動作フローを示す。完成品提供端末識別情報送信部２６０は、購入可能品を構成品として完成品を作成する完成品提供店舗端末（例えば、完成品提供店舗端末４００）を識別する情報を納品情報通知部１３０に送る（Ｓ２６０）。納品情報通知部１３０は、完成品提供店舗端末を識別する情報を完成品提供端末識別情報送信部２６０から受信する（Ｓ１４０）。
【００６１】
構成条件送信部２５０は、完成品を構成する構成品を識別する情報、構成品を提供する店舗である構成品提供店舗を識別する情報、及び完成品の納品先である購入者の端末を識別する情報を、完成品の作成を開始するための構成条件として構成条件記憶部４２５に送る（Ｓ２７０）。構成条件記憶部４２５は、構成条件を構成条件送信部２５０から受け取り、記憶する（Ｓ４００）。
【００６２】
そして、納品情報通知部１３０は、販売品の納品が完了した旨の入力を販売者から受け付けた場合に（Ｓ１５０：ＹＥＳ）、完成品提供店舗端末の識別情報により識別される店舗、例えば、完成品提供店舗端末４００に販売品の準備ができた旨の情報を送る（Ｓ１６０）。構成開始通知出力部４３０は、販売品の準備ができた旨の情報を構成品提供店舗端末１００−１から受信する（Ｓ４１０）。
【００６３】
購買システム１０は、構成品提供店舗端末１００−１に代えて、更に構成品提供店舗端末１００−２〜Ｎ及び完成品提供店舗端末４００のそれぞれを用いて以上の処理を行う。すなわち、構成開始通知出力部４３０は、複数の店舗端末のそれぞれから販売品の準備ができた旨の情報を受け取る。
【００６４】
構成開始通知出力部４３０は、完成品を構成する全ての構成品が納品されたか、即ち完成品の構成条件が満たされたか否かを判断する（Ｓ４２０）。構成開始通知出力部４３０は、構成条件記憶部４２５により記憶された構成条件が満たされたと判断した場合に（Ｓ４２０：ＹＥＳ）、完成品の作成を開始すべき旨の通知を、完成品提供店舗端末４００の管理者に出力する（Ｓ４３０）。
【００６５】
このように、購買システム１０は、構成品の販売者端末である構成品提供店舗端末１００−１から完成品の作成者端末である完成品提供店舗端末４００に、構成品の準備ができた旨の情報を直接送信させることができる。したがって、購入者は、構成品を一旦受け取る手間を省いて、完成品のみを受け取ることができる。また、完成品提供店舗端末４００の管理者は、構成品が納品された後直ちに完成品の作成を開始することができる。
【００６６】
図８は、決済処理の動作フローの一例を示す。決済部３１０は、購入者の支払能力を示す支払余力情報の一例である与信残高が、当該購入者の購入予定品の総額以上であると判断した場合に（Ｓ５００：ＹＥＳ）、当該購入予定品の決済処理を行う（Ｓ５１０）。
【００６７】
一方、決済部３１０は、購入者の与信残高が、当該購入者の購入予定品の総額未満であると判断した場合に（Ｓ５００：ＮＯ）、次の処理を行う。決済部３１０は、購入者の与信残高に当該購入者のポイントを加えた数量が、当該購入者の購入予定品の総額以上であると判断した場合に（Ｓ５２０：ＹＥＳ）、決済処理を行う（Ｓ５１０）。一方、決済部３１０は、購入者の与信残高に当該購入者のポイントを加えた数量が、当該購入者の購入予定品の総額以上でないと判断した場合に（Ｓ５２０：ＮＯ）、購入予定品販売情報に購入優先順位が設定されているか否かを判断する（Ｓ５３０）。
【００６８】
決済部３１０は、購入予定品販売情報に購入優先順位が設定されていると判断した場合に（Ｓ５３０：ＹＥＳ）、より高い購入優先順位のグループに属する販売品から順に、与信残高及びポイントの範囲内で決済を行う（Ｓ５５０）。
一方、決済部３１０は、購入予定品販売情報に購入優先順位が設定されていないと判断した場合に（Ｓ５３０：ＮＯ）、決済不能として、購入不能通知を作成する（Ｓ５４０）。
【００６９】
なお、本例において、決済部３１０は、与信残高が不足する場合に、ポイントを用いて決済を行うが、他の例として、ポイントを用いて決済の可否を判断した後に、与信残高の過不足を判断してもよい。
また、与信残高が不足する場合の他の処理例として、決済部３１０は、予め定められた金額の範囲内で、当座貸越を行ってもよい。この場合、決済部３１０は、予め所定の担保が設定されていると判断した場合のみ、当座貸越を行ってもよいし、予め信用調査が行われ、貸越余力があると判断された購入者のみに、当座貸越を行ってもよい。
【００７０】
このように、購買システム１０は、購入者の支払能力を示す与信残高と、購入者の購入履歴に基づくポイントと、購入優先順位とに基づいて、購入予定品の決済の可否を適切に判断することができる。
【００７１】
図９は、販売品情報の一例を示す。図９（Ａ）に示すように、販売品情報６００は、購入者識別情報に対応付けて、販売品を識別する販売品識別情報を保持する。例えば、購入者Ａは、ＣＰＵ−Ａ、ハードディスク−Ｂ、マザーボード−Ｃ、電源ユニット−Ｄ、ＣＰＵ−Ｅ、及びマザーボード−Ｆの購入を予定している。
【００７２】
一方、図９（Ｂ）に示すように、販売品情報６１０は、購入者識別情報に対応付けて、グループを識別する情報であるグループＩＤ、何れのグループに所属する購入予定品をより優先して購入するかを示す購入優先順位、それぞれのグループに属する販売品を識別する販売品識別情報を保持している。
【００７３】
例えば、本図の例において、購入優先順位設定部２４０は、購入者Ａからの指示に基づいて、図９（Ａ）に示した販売品を複数のグループ（例えば、グループ１及びグループ２）に分類し、グループ１に属する販売品をグループ２に属する販売品より優先して購入する購入優先順位を、販売品識別情報に対応付けて設定している。
【００７４】
このように、購入優先順位設定部２４０が販売品のグループ毎に購入優先順位を設定するので、決済部３１０は、グループ単位で決済の可否を判断することができる。
【００７５】
図１０は、決済サーバ３００のハードウェア構成の一例を示す。決済サーバ３００は、ＣＰＵ７００、ＲＯＭ７０２、ＲＡＭ７０４、通信インタフェース７０６、ハードディスクドライブ７０８、データベースインタフェース７１０、フレキシブルディスクドライブ７１２、及びＣＤ−ＲＯＭドライブ７１４を備える。ＣＰＵ７００は、ＲＯＭ７０２及びＲＡＭ７０４に格納されたプログラムに基づいて動作し、各部の制御を行う。通信インタフェース７０６は、ネットワークを介して他のネットワーク機器と通信する。例えば、通信インタフェース７０６は、ネットワークを介して構成品提供端末１００−１〜Ｎ、購入者端末２００、及び完成品提供店舗端末４００と通信する。データベースインタフェース７１０は、データベースへのデータの書込、及びデータベースの内容の更新を行う。なお、決済サーバ３００及び購入者端末２００を実現するハードウェアは、本図に示した構成をとる複数の装置を互いに接続させた形態でもよい。
【００７６】
フレキシブルディスクドライブ７１２は、フレキシブルディスク７２０からデータ又はプログラムを読み取りＣＰＵ７００に提供する。ＣＤ−ＲＯＭドライブ７１４は、ＣＤ−ＲＯＭ７２２からデータ又はプログラムを読み取りＣＰＵ７００に提供する。データベースインタフェース７１０は、各種データベース７２４と接続してデータを送受信する。
【００７７】
決済サーバ３００に提供される各種のプログラムは、フレキシブルディスク７２０又はＣＤ−ＲＯＭ７２２等の記録媒体に格納されて利用者によって提供される。記録媒体に格納されたプログラムは圧縮されていても非圧縮であってもよい。プログラムは記録媒体から読み出され、ＣＰＵ７００により実行される。
【００７８】
記録媒体に格納されて提供される各種のプログラムは、決済サーバ３００にインストールされてもよいし、通信インタフェース７０６からネットワークを介して構成品提供端末１００−１〜Ｎ、購入者端末２００、及び完成品提供店舗端末４００に提供されてもよい。
記録媒体に格納されて提供されるプログラム、例えば決済サーバプログラム及び購入者端末プログラムは、機能構成として、選択モジュール、販売品情報送信モジュール、納品情報通知モジュール、入力モジュール、購入予定送信モジュール、決済結果転送モジュール、購入優先順位設定モジュール、構成条件送信モジュール、完成品提供端末識別情報送信モジュール、決済モジュール、決済結果通知モジュール、ポイント記憶モジュール、販売品情報送信モジュール、構成条件記憶モジュール、及び構成開始通知出力モジュールを有する。各モジュールが構成品提供店舗端末１００−１〜Ｎ、購入者端末２００、決済サーバ３００、及び完成品提供店舗端末４００に働きかけて行わせる動作は、図１において説明した購買システム１０における、対応する部材の動作と同一であるから、説明を省略する。
【００７９】
記録媒体の一例としてのフレキシブルディスク７２０又はＣＤ−ＲＯＭ７２２には、本出願で説明した全ての実施形態における購買システム１０の動作の一部又は全ての機能を格納することができる。
【００８０】
これらのプログラムは記録媒体から直接ＲＡＭ７０４に読み出されて実行されても、一旦ハードディスクにインストールされた後にＲＡＭに読み出されて実行されてもよい。更に、上記プログラムは単一の記録媒体に格納されても複数の記録媒体に格納されてもよい。また、暗号化、圧縮等により符号化された形態で格納されていてもよい。
【００８１】
記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアカードなどの半導体メモリ等を用いることができる。また、専用通信ネットワークやインターネットに接続されたサーバシステムに設けたハードディスク又はＲＡＭ等の格納装置を記録媒体として使用し、ネットワークを介してプログラムを決済サーバ３００に提供してもよい。
【００８２】
以上の説明から明らかなように、購買システム１０は、購入者の所望する条件に合致する販売品を適切に選択させ、安全に決済することができる。例えば、購買システム１０は、決済に必要な情報の授受において、構成品提供店舗端末１００−１〜Ｎ及び決済サーバ３００間での通信を必要としないので、購入者端末２００にとって安全な決済環境を提供することができる。
【００８３】
また、購買システム１０は、複数の店舗から購入者が所望する複数の販売品について適切に決済を行うことができる。例えば、購買システム１０は、複数の販売品に購入優先順位を設定することにより、全ての購入予定品が決済できない場合に、購入予定品の一部を選択して決済することができる。
【００８４】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００８５】
【発明の効果】
上記説明から明らかなように、本発明によれば、購入者は、複数の販売者のそれぞれに予約した複数の販売品のうち少なくとも一部を決済できない場合に、決済可能な販売品のみを適切に決済させることができる。
【図面の簡単な説明】
【図１】図１は、購買システム１０の機能ブロック図。
【図２】図２は、販売品データベースの一例を示す図。
【図３】図３は、与信データベース３０５の一例を示す図。
【図４】図４は、ポイント記憶部３１５の一例を示す図。
【図５】図５は、構成条件記憶部４２５の一例を示す図。
【図６】図６は、購買システム１０の動作フロー図。
【図７】図７は、購買システム１０における図６に続く動作フロー図。
【図８】図８は、決済処理の動作フローの一例を示す図。
【図９】図９は、販売品情報の一例を示す図。
【図１０】図１０は、決済サーバ３００のハードウェア構成の一例を示す図。
【符号の説明】
１０  購買システム
１００−１〜Ｎ  構成品提供店舗端末
１０５  販売品データベース
１１０  選択部
１２０  販売品情報送信部
１３０  納品情報通知部
２００  購入者端末
２１０  入力部
２２０  購入予定送信部
２３０  決済結果転送部
２４０  購入優先順位設定部
２５０  構成条件送信部
２６０  完成品提供端末識別情報送信部
３００  決済サーバ
３１０  決済部
３１５  ポイント記憶部
３０５  与信データベース
３３０  決済結果通知部
４００  完成品提供店舗端末
４０５  販売品データベース
４１０  選択部
４２０  販売品情報送信部
４２５  構成条件記憶部
４３０  構成開始通知出力部
６００  販売品情報
６１０  販売品情報
【図１】
2004171238.tif 000003
【図２】
2004171238.tif 000004
【図３】
2004171238.tif 000005
【図４】
2004171238.tif 000006
【図５】
2004171238.tif 000007
【図６】
2004171238.tif 000008
【図７】
2004171238.tif 000009
【図８】
2004171238.tif 000010
【図９】
2004171238.tif 000011
【図１０】
2004171238.tif 000012